(57)【特許請求の範囲】
【請求項１】
給水路からの給水を受けて加熱するための缶体の出湯側において、浴槽に差し湯するための高温差し湯路と、給湯栓に給湯するための一般給湯路とが分岐され、前記一般給湯路は、前記缶体で加熱された湯に対し前記給水路から分岐したバイパス路を通して混水可能に構成されるとともに、そのバイパス路は混水比を変更調整するためのバイパス流量調整弁を備えてなる給湯器において、
前記高温差し湯路を通して所定の高温湯を差し湯するための高温差し湯運転制御を行う制御手段を備え、
前記バイパス流量調整弁は、弁体の開度がステッピングモータの駆動制御によって変更調整されるとともに、前記弁体が全開位置にあるときに前記制御手段に位置信号を出力するように構成され、
前記制御手段は、高温差し湯運転の要求があったとき、前記ステッピングモータを駆動制御して前記バイパス流量調整弁の弁体を所定量だけ閉側に駆動した後に全開位置まで駆動制御し、前記位置信号が非出力状態と出力状態との間で変化したことを判定・検知するための開始前処理を実行し、この開始前処理により前記変化が検知できない場合には、前記高温差し湯路に対する差し湯を実行しないように構成されている、
ことを特徴とする給湯器。
【請求項２】
請求項１に記載の給湯器であって、
前記制御手段は、高温差し湯運転の要求があったとき、前記缶体に対し所定流量以上の給水流量が生じているか否かを判定し、所定流量以上の給水流量の発生を検知した場合には、前記高温差し湯路に対する差し湯を実行しないように構成されている、給湯器。
【請求項３】
請求項１又は請求項２に記載の給湯器であって、
前記バイパス路との合流部位よりも下流側位置の一般給湯路に介装された給湯温度センサを備え、
前記制御手段は、高温差し湯運転制御により高温差し湯路を通して差し湯の実行中に、前記給湯温度センサによる検出温度を監視し、所定の判定温度以上が検出されれば、前記高温差し湯路を通しての差し湯の実行を強制的に停止させるように構成されている、給湯器。
【請求項４】
請求項３に記載の給湯器であって、
前記給湯温度センサよりも下流側位置の一般給湯路から分岐して浴槽に注湯するための注湯路と、この注湯路を開閉切換する注湯電磁弁とを備え、
前記制御手段は、高温差し湯運転の要求があったとき、前記注湯電磁弁を一時的に開変換して浴槽に対し低温の湯又は水を一時的に注湯又は注水し、この注湯又は注水による低温の湯又は水で前記給湯温度センサ位置の一般給湯路を満たすための開始前処理を実行した上で、前記高温差し湯路に対する差し湯を実行するように構成されている、給湯器。
【請求項５】
給水路からの給水を受けて加熱するための缶体の出湯側において、浴槽に差し湯するための高温差し湯路と、給湯栓に給湯するための一般給湯路とが分岐され、前記一般給湯路は、前記缶体で加熱された湯に対し前記給水路から分岐したバイパス路を通して混水可能に構成されるとともに、そのバイパス路は混水比を変更調整するためのバイパス流量調整弁を備えてなる給湯器において、
前記高温差し湯路を通して所定の高温湯を差し湯するための高温差し湯運転制御を行う制御手段と、前記バイパス路との合流部位よりも下流側位置の一般給湯路に介装された給湯温度センサと、この給湯温度センサよりも下流側位置の一般給湯路から分岐して浴槽に注湯するための注湯路と、この注湯路を開閉切換する注湯電磁弁とを備え、
前記バイパス流量調整弁は、弁体の開度がステッピングモータの駆動制御によって変更調整されるとともに、前記弁体が所定の開側位置にあるときに前記制御手段に位置信号を出力するように構成され、
前記制御手段は、高温差し湯運転の要求があったとき、前記ステッピングモータを駆動制御して前記バイパス流量調整弁の弁体を前記所定の開側位置まで駆動制御し、前記位置信号が非出力状態と出力状態との間で変化したことを判定・検知するための開始前処理を実行し、この開始前処理により前記変化が検知できない場合には、前記高温差し湯路に対する差し湯を実行しないように構成されており、加えて、前記高温差し湯運転制御により高温差し湯路を通して差し湯の実行中に、前記給湯温度センサにより所定の判定温度以上が検出されれば、前記注湯電磁弁を一時的に開変換して浴槽に対し一時的に注湯し、注湯してもなお前記給湯温度センサにより前記所定の判定温度以上が検出されれば、前記高温差し湯路を通しての差し湯の実行を強制的に停止させるように構成されている、
ことを特徴とする給湯器。
【請求項６】
請求項５に記載の給湯器であって、
前記所定の開側位置は弁体の全開位置であり、前記制御手段は、高温差し湯運転の要求があったとき、前記ステッピングモータを駆動制御して前記バイパス流量調整弁の弁体を所定量だけ閉側に駆動した後に全開位置まで駆動制御するように構成されている、給湯器。
【発明の詳細な説明】
【技術分野】
【０００１】
本発明は、缶体内において燃焼熱との熱交換加熱により給水を所定の高温度まで昇温させ、生成された高温湯を給湯栓等に至る一般給湯路と、浴槽に至る高温差し湯路との２方向に供給可能とされ、湯張り後の浴槽に対し高温差し湯路を通して高温湯の差し湯（以下「高温差し湯」という）をすることにより、浴槽内の湯水を昇温させて追い焚きと同等の役割を果たし得る高温差し湯機能付きの給湯器に関し、特に、高温差し湯運転の実行中に一般給湯路を通しての給湯が開始された場合（給湯割り込みの場合）における不都合発生を回避するための技術に係る。
【背景技術】
【０００２】
特許文献１では、湯張り後の浴槽に対し高温差し湯路を通して高温差し湯をすることにより、浴槽内の湯水を昇温させて追い焚きと同等の効果を与える高温差し湯機能付きの給湯器が提案されている。かかる高温差し湯機能付きの給湯器においては、高温差し湯路を通して浴槽に対し高温湯を差し湯する高温差し湯運転の実行中に給湯割り込みが発生した場合、高温差し湯運転を中断（停止）して給湯運転を優先させるようにしている。ところが、この高温差し湯運転から給湯運転への切換の過渡期においては、熱交換器等の缶体内に残る高温湯の一部が高温差し湯路側に流れる一方、残りが一般給湯路側に分岐して流れることになる。
【０００３】
このため、従来、一般給湯路側に高温湯が流れることの不都合発生を回避するための提案がなされている。例えば、特許文献２では、高温差し湯運転の実行中に給湯使用が開始された場合、一般給湯路への湯温が低下するまで、あるいは、熱交換器出口の温度検出値が所定値以下に低下するまで、高温差し湯路に介装された開閉弁を開いた状態にした上で、開閉弁を閉止切換することが提案されている（例えば同文献の請求項１又は請求項２参照）。
【先行技術文献】
【特許文献】
【０００４】
【特許文献１】特許第３９９４９２０号公報
【特許文献２】特許第２９０９４１７号公報
【発明の概要】
【発明が解決しようとする課題】
【０００５】
ところで、一般給湯路を通して給湯する場合には、缶体において加熱した湯に対し、給水路からのバイパス水を所定の混合比で混水して所定の設定給湯温度に温調した上で給湯することが行われている。すなわち、給水路の途中から缶体をバイパスして一般給湯路に合流するようにバイパス路を分岐させ、バイパス流量調整弁を介装することで所定の混合比で混水可能とされている（例えば特許文献１の段落００２６，図１参照）。従って、前記の高温差し湯運転から給湯運転への切換の過渡期における一般給湯路側へ高温湯がそのまま流れてしまうことを回避するために、高温差し湯運転を行う場合には、前記のバイパス流量調整弁を全開にしておき、もしも前記切換の過渡期に一般給湯路側に高温湯が流れたとしても十分な量のバイパス水を混水可能としておくことが考えられる。このようにしておくことにより、給湯栓等が僅かに開いて微小量の給湯流量が一般給湯路に通過することで、高温差し湯運転が中断されずに、高温湯が僅かずつではあっても一般給湯路に分岐流入する事態が生じたとしても、前記の十分な量のバイパス水の混水により、高温湯がそのまま給湯栓側に流れてしまうことを回避し得る。
【０００６】
しかしながら、前記のバイパス流量調整弁を事前に全開位置に変換制御したとしても、例えば故障発生によりバイパス流量調整弁がそもそも駆動不能に陥っていたり、あるいは、脱調発生により所要の開状態に変換していなかったり、するという不具合が生じているおそれが考えられる。又、バイパス流量調整弁は全開位置に正常に変換作動するものの、その内部通路にゴミ詰まり等が発生してバイパス水の通流自体が困難な状況に陥っているおそれも考えられる。このような不具合が生じていると、前記切換の過渡期のみならず、高温差し湯運転中においても、微小量とはいえ高温湯がそのまま給湯栓側に流れてしまうおそれが考えられる。
【０００７】
本発明は、このような事情に鑑みてなされたものであり、その目的とするところは、高温差し湯運転の実行中や、その実行中に給湯割り込みが発生して高温差し湯運転を中断又は停止して給湯運転へ切換える過渡期において、一般給湯路を通して高温湯が給湯栓側に流れてしまうことを確実に回避し得る給湯器を提供することにある。
【課題を解決するための手段】
【０００８】
前記目的を達成するために、本発明では、給水路からの給水を受けて加熱するための缶体の出湯側において、浴槽に差し湯するための高温差し湯路と、給湯栓に給湯するための一般給湯路とが分岐され、前記一般給湯路は、前記缶体で加熱された湯に対し前記給水路から分岐したバイパス路を通して混水可能に構成されるとともに、そのバイパス路は混水比を変更調整するためのバイパス流量調整弁を備えてなる給湯器を対象にして、次の特定事項を備えることとした。すなわち、前記高温差し湯路を通して所定の高温湯を差し湯するための高温差し湯運転制御を行う制御手段を備え、前記バイパス流量調整弁として、弁体の開度がステッピングモータの駆動制御によって変更調整されるとともに、前記弁体が全開位置にあるときに前記制御手段に位置信号を出力する構成とする。そして、前記制御手段として、高温差し湯運転の要求があったとき、前記ステッピングモータを駆動制御して前記バイパス流量調整弁の弁体を所定量だけ閉側に駆動した後に全開位置まで駆動制御し、前記位置信号が非出力状態と出力状態との間で変化したことを判定・検知するための開始前処理を実行し、この開始前処理により前記変化が検知できない場合には、前記高温差し湯路に対する差し湯を実行しない構成とした（請求項１）。
【０００９】
本発明の場合、高温差し湯路に対する差し湯を実行する前に、開始前処理としてバイパス流量調整弁を弁体の全開位置まで駆動制御しているため、もしも、割り込み給湯使用や給湯栓の緩み発生等により缶体から高温湯が一般給湯路に流れたとしても、バイパス路からの十分な量の混水により温度低下させることが可能となる。これにより、割り込み給湯使用が生じた際に高温湯がそのまま、あるいは、かなり高温状態を維持したまま、一般給湯路から給湯栓の側に流れることを確実に阻止することが可能となる。しかも、バイパス流量調整弁が前記全開位置に設定されたことを、その位置信号の出力があることのみによって判定・検知するのではなくて、位置信号が非出力状態と出力状態との間で変化したことをもって判定・検知するようにしているため、断線等の故障発生に起因する誤判定発生を排除して、バイパス流量調整弁が確実に前記全開位置に設定されたことを判定確認することが可能となる。この際、バイパス流量調整弁の弁体を所定量だけ閉側に駆動した後に全開位置まで駆動制御しているため、弁体の現在位置が不明又は既に故障が発生している場合のあることも考慮し得る。
【００１０】
本発明において、前記制御手段として、高温差し湯運転の要求があったとき、前記缶体に対し所定流量以上の給水流量が生じているか否かを判定し、所定流量以上の給水流量の発生を検知した場合には、前記高温差し湯路に対する差し湯を実行しない構成とすることができる（請求項２）。このようにすることにより、高温差し湯運転を開始する前に、現在、給湯使用が行われてはいないことを確実に確認することが可能となり、確認した上で高温差し湯運転を開始させることが可能となる。
【００１１】
又、本発明において、前記バイパス路との合流部位よりも下流側位置の一般給湯路に介装された給湯温度センサを備えることとし、前記制御手段として、高温差し湯運転制御により高温差し湯路を通して差し湯の実行中に、前記給湯温度センサによる検出温度を監視し、所定の判定温度以上が検出されれば、前記高温差し湯路を通しての差し湯の実行を強制的に停止させる構成とすることができる（請求項３）。このようにすることにより、給湯栓側に微小量の流れが生じている場合に、バイパス流量調整弁は正常に所定の開側位置に設定されたとしても、ゴミ詰まり等の不調発生に起因して混水が不十分な事態に陥っていることに起因して、高温湯が給湯栓側に流れてしまうことを確実に回避することが可能となる。
【００１２】
この場合、前記給湯温度センサよりも下流側位置の一般給湯路から分岐して浴槽に注湯するための注湯路と、この注湯路を開閉切換する注湯電磁弁とを備えることとし、前記制御手段として、高温差し湯運転の要求があったとき、前記注湯電磁弁を一時的に開変換して浴槽に対し低温の湯又は水を一時的に注湯又は注水し、この注湯又は注水による低温の湯又は水で前記給湯温度センサ位置の一般給湯路を満たすための開始前処理を実行した上で、前記高温差し湯路に対する差し湯を実行する構成とすることができる（請求項４）。このようにすることにより、何らかの原因で給湯温度センサの介装位置の配管内に比較的高温の湯が残留していた場合に生じるおそれのある誤判定の発生を事前に回避し得ることになる。すなわち、開始前処理の実行により、給湯温度センサの介装位置の配管内を低温の湯又は水で満たすことが可能となるため、以後の高温差し湯運転中の給湯温度センサによる温度監視を的確に行うことが可能となり、これにより、誤判定の発生を回避し得ることになる。
【００１３】
又、前記目的を達成するために他の発明では、給水路からの給水を受けて加熱するための缶体の出湯側において、浴槽に差し湯するための高温差し湯路と、給湯栓に給湯するための一般給湯路とが分岐され、前記一般給湯路は、前記缶体で加熱された湯に対し前記給水路から分岐したバイパス路を通して混水可能に構成されるとともに、そのバイパス路は混水比を変更調整するためのバイパス流量調整弁を備えてなる給湯器において、
前記高温差し湯路を通して所定の高温湯を差し湯するための高温差し湯運転制御を行う制御手段と、前記バイパス路との合流部位よりも下流側位置の一般給湯路に介装された給湯温度センサと、この給湯温度センサよりも下流側位置の一般給湯路から分岐して浴槽に注湯するための注湯路と、この注湯路を開閉切換する注湯電磁弁とを備えることとし、前記バイパス流量調整弁として、弁体の開度がステッピングモータの駆動制御によって変更調整されるとともに、前記弁体が所定の開側位置にあるときに前記制御手段に位置信号を出力するように構成する。そして、前記制御手段として、高温差し湯運転の要求があったとき、前記ステッピングモータを駆動制御して前記バイパス流量調整弁の弁体を前記所定の開側位置まで駆動制御し、前記位置信号が非出力状態と出力状態との間で変化したことを判定・検知するための開始前処理を実行し、この開始前処理により前記変化が検知できない場合には、前記高温差し湯路に対する差し湯を実行しないように構成されており、加えて、前記高温差し湯運転制御により高温差し湯路を通して差し湯の実行中に、前記給湯温度センサにより所定の判定温度以上が検出されれば、前記注湯電磁弁を一時的に開変換して浴槽に対し一時的に注湯し、注湯してもなお前記給湯温度センサにより前記所定の判定温度以上が検出されれば、前記高温差し湯路を通しての差し湯の実行を強制的に停止させる構成とした（請求項５）。このようにすることにより、給湯栓側に微小量の流れが生じている場合に、バイパス流量調整弁は正常に所定の開側位置に設定されたとしても、ゴミ詰まり等の不調発生に起因して混水が不十分な事態に陥っていることに起因して、高温湯が給湯栓側に流れてしまうことを確実に回避することが可能となる。しかも、浴槽に対し一時的に注湯するようにした上で、それでもなお判定温度以上の検出が発生すれば差し湯の実行を強制的に停止するようにしているため、判定温度以上の温度検出がゴミ詰まり等の不調発生によるものであることを確実に判定した上で、差し湯の実行を強制的に停止することが可能となる。
【００１４】
併せて、高温差し湯路に対する差し湯を実行する前に、開始前処理としてバイパス流量調整弁を所定の開側位置に駆動制御しているため、もしも、割り込み給湯使用や給湯栓の緩み発生等により缶体から高温湯が一般給湯路に流れたとしても、バイパス路からの十分な量の混水により温度低下させることが可能となる。これにより、割り込み給湯使用が生じた際に高温湯がそのまま、あるいは、かなり高温状態を維持したまま、一般給湯路から給湯栓の側に流れることを確実に阻止することが可能となる。しかも、バイパス流量調整弁が前記開側位置に設定されたことを、その位置信号の出力があることのみによって判定・検知するのではなくて、位置信号が非出力状態と出力状態との間で変化したことをもって判定・検知するようにしているため、断線等の故障発生に起因する誤判定発生を排除して、バイパス流量調整弁が確実に前記開側位置に設定されたことを判定確認することが可能となる。かかる請求項５に係る発明における所定の開側位置として弁体の全開位置とすることができ、前記制御手段として、高温差し湯運転の要求があったとき、前記ステッピングモータを駆動制御して前記バイパス流量調整弁の弁体を所定量だけ閉側に駆動した後に全開位置まで駆動制御するように構成することができる（請求項６）。このようにすることにより、一般給湯路に高温湯が流れても、バイパス路から十分な量の水が混水され、十分に温度低下させた上で給湯栓側に流すことが可能となる。加えて、弁体の現在位置が不明又は既に故障が発生している場合のあることも考慮し得る。
【発明の効果】
【００１５】
以上、説明したように、請求項１〜請求項４のいずれかの給湯器によれば、高温差し湯路に対する差し湯を実行する前に、開始前処理としてバイパス流量調整弁を全開位置まで駆動制御しているため、もしも、割り込み給湯使用や給湯栓の緩み発生等により缶体から高温湯が一般給湯路に流れたとしても、バイパス路からの十分な量の混水により温度低下させることができる。これにより、割り込み給湯使用が生じた際に高温湯がそのまま、あるいは、かなり高温状態を維持したまま、一般給湯路から給湯栓の側に流れることを確実に阻止することができる。しかも、バイパス流量調整弁が全開位置に設定されたことを、その位置信号の出力があることのみによって判定・検知するのではなくて、位置信号が非出力状態と出力状態との間で変化したことをもって判定・検知するようにしているため、断線等の故障発生に起因する誤判定発生を排除して、バイパス流量調整弁が確実に全開位置に設定されたことを判定確認することができるようになる。この際、バイパス流量調整弁の弁体を所定量だけ閉側に駆動した後に全開位置まで駆動制御しているため、弁体の現在位置が不明又は既に故障が発生している場合のあることも考慮し得る。
【００１６】
請求項２の給湯器によれば、制御手段として、高温差し湯運転の要求があったとき、缶体に対し所定流量以上の給水流量が生じているか否かを判定し、所定流量以上の給水流量の発生を検知した場合には、高温差し湯路に対する差し湯を実行しない構成とすることにより、高温差し湯運転を開始する前に、現在、給湯使用が行われてはいないことを確実に確認することができるとともに、確認した上で高温差し湯運転を開始させることができるようになる。
【００１７】
又、請求項３の給湯器によれば、バイパス路との合流部位よりも下流側位置の一般給湯路に介装された給湯温度センサを備えることとし、制御手段として、高温差し湯運転制御により高温差し湯路を通して差し湯の実行中に、給湯温度センサによる検出温度を監視し、所定の判定温度以上が検出されれば、高温差し湯路を通しての差し湯の実行を強制的に停止させる構成とすることにより、給湯栓側に微小量の流れが生じている場合に、バイパス流量調整弁は正常に所定の開側位置に設定されたとしても、ゴミ詰まり等の不調発生に起因して混水が不十分な事態に陥っていることに起因して、高温湯が給湯栓側に流れてしまうことを確実に回避することができる。
【００１８】
この場合に、請求項４の給湯器の如く、給湯温度センサよりも下流側位置の一般給湯路から分岐して浴槽に注湯するための注湯路と、この注湯路を開閉切換する注湯電磁弁とを備えることとし、制御手段として、高温差し湯運転の要求があったとき、注湯電磁弁を一時的に開変換して浴槽に対し低温の湯又は水を一時的に注湯又は注水し、この注湯又は注水による低温の湯又は水で給湯温度センサ位置の一般給湯路を満たすための開始前処理を実行した上で、高温差し湯路に対する差し湯を実行する構成とすることにより、何らかの原因で給湯温度センサの介装位置の配管内に比較的高温の湯が残留していた場合に生じるおそれのある誤判定の発生を事前に回避することができるようになる。すなわち、開始前処理の実行により、給湯温度センサの介装位置の配管内を低温の湯又は水で満たすことができ、以後の高温差し湯運転中の給湯温度センサによる温度監視を的確に行うことができるようになり、これにより、誤判定の発生を確実に回避することができるようになる。
【００１９】
さらに、請求項５の給湯器によれば、バイパス路との合流部位よりも下流側位置の一般給湯路に介装された給湯温度センサと、この給湯温度センサよりも下流側位置の一般給湯路から分岐して浴槽に注湯するための注湯路と、この注湯路を開閉切換する注湯電磁弁とを備えることとし、制御手段として、給湯温度センサにより所定の判定温度以上が検出されれば、注湯電磁弁を一時的に開変換して浴槽に対し一時的に注湯し、注湯してもなお給湯温度センサにより所定の判定温度以上が検出されれば、高温差し湯路を通しての差し湯の実行を強制的に停止させる構成としているため、給湯栓側に微小量の流れが生じている場合に、バイパス流量調整弁は正常に所定の開側位置に設定されたとしても、ゴミ詰まり等の不調発生に起因して混水が不十分な事態に陥っていることに起因して、高温湯が給湯栓側に流れてしまうことを確実に回避することができるようになる。しかも、浴槽に対し一時的に注湯するようにした上で、それでもなお判定温度以上の検出が発生すれば差し湯の実行を強制的に停止するようにしているため、判定温度以上の温度検出がゴミ詰まり等の不調発生によるものであることを確実に判定した上で、差し湯の実行を強制的に停止することができる。
【００２０】
併せて、高温差し湯路に対する差し湯を実行する前に、開始前処理としてバイパス流量調整弁を所定の開側位置に駆動制御しているため、もしも、割り込み給湯使用や給湯栓の緩み発生等により缶体から高温湯が一般給湯路に流れたとしても、バイパス路からの十分な量の混水により温度低下させることが可能となる。これにより、割り込み給湯使用が生じた際に高温湯がそのまま、あるいは、かなり高温状態を維持したまま、一般給湯路から給湯栓の側に流れることを確実に阻止することが可能となる。しかも、バイパス流量調整弁が前記開側位置に設定されたことを、その位置信号の出力があることのみによって判定・検知するのではなくて、位置信号が非出力状態と出力状態との間で変化したことをもって判定・検知するようにしているため、断線等の故障発生に起因する誤判定発生を排除して、バイパス流量調整弁が確実に前記開側位置に設定されたことを判定確認することが可能となる。そして、請求項６の給湯器によれば、前記所定の開側位置として弁体の全開位置とすることにより、一般給湯路に高温湯が流れても、バイパス路から十分な量の水を混水することができ、十分に温度低下させた上で給湯栓側に流すことができるようになる。加えて、弁体の現在位置が不明又は既に故障が発生している場合のあることも考慮し得る。
【図面の簡単な説明】
【００２１】
【図１】本発明の実施形態に係る給湯器の模式図である。
【図２】図１の給湯器の作動制御を行うコントローラのブロック構成図である。
【図３】図２の差し湯制御部による高温差し湯運転制御の全体を示すフローチャートである。
【図４】図３の開始前処理１の具体的内容を示すフローチャートである。
【図５】図３の開始前処理２の具体的内容を示すフローチャートである。
【図６】図３の開始前処理３の具体的内容を示すフローチャートである。
【図７】図３の給湯経路温度監視処理の具体的内容を示すフローチャートである。
【発明を実施するための形態】
【００２２】
以下、本発明の実施形態を図面に基づいて説明する。
図１は、本発明の給湯器１を示したものである。この給湯器１は、高温差し湯機能付きに構成されており、缶体２において給水路３からの水を所定の高温（高温差し湯の場合には例えば８０℃、給湯の場合には例えば７５℃）まで熱交換加熱した後に出湯路４に出湯された湯を、給湯栓５１等に至る一般給湯路５と、浴槽６に直接至る高温差し湯路７とに分岐させて供給可能となっている。一般給湯路５には、その途中位置にバイパス路８の下流端が合流するように接続されており、このバイパス路８を通して、バイパス流量調整弁８１により給水路３から分流させた所定流量の水が導入可能となっている。このバイパス流量調整弁８１の開度制御に基づく混合比制御により一般給湯路５の高温の湯に対し所定量混水することで、給湯栓５１（又は注湯路９）への給湯温度（又は注湯温度）を例えば４０℃の所定の設定給湯温度（又は設定注湯温度）に温調し得るようにされている。又、このバイパス路８の合流位置より下流側位置の一般給湯路５から注湯路９が分岐され、この注湯路９の下流端は浴槽６に対し連通接続されており、設定注湯温度に温調された湯を浴槽６に注湯して湯張りし得るようになっている。前記の高温差し湯路７の下流端は注湯路９の途中に連通接続され、これにより、高温差し湯路７に流入した高温差し湯が注湯路９の下流側を通して浴槽６まで供給されるようになっている。高温差し湯は、これを行うことで、湯張り後の浴槽６内の湯水を昇温させて追い焚きと同等の役割を果たすようになっている。以下、各構成要素について、詳細に説明する。
【００２３】
前記缶体２は、送風ファン２１からの燃焼用空気及び燃料供給系２２からの燃料ガスの供給を受けて燃焼する燃焼バーナ２３と、この燃焼バーナ２３の燃焼熱により熱交換加熱される熱交換器２４，２５とが内蔵されている。燃焼バーナ２３は、例えば３つの領域が互いに独立にあるいは任意に組み合わせて燃焼可能に構成され、又、熱交換器としては、燃焼ガスの顕熱により熱交換加熱するための主熱交換器２４と、主熱交換器２４通過後の燃焼排ガスの潜熱回収により予熱するための副熱交換器２５とで構成されている。そして、前記副熱交換器２５の入口には、水道管又は水道タンクに接続されて上水を給水する給水路３の下流端が接続され、副熱交換器２５を通過した後に主熱交換器２４を通過する間に熱交換加熱された湯が、主熱交換器２４の出口に接続された出湯路４の上流端に出湯されるようになっている。なお、熱交換器として２種類のもの２４，２５を備えている点や、燃焼バーナ２３が独立燃焼可能な３つの領域を備えている点などは、本発明において必須のものではなく、缶体としては給水を受けて加熱し得るものであれば本発明を適用することができる。
【００２４】
前記給水路３には、バイパス路８の分岐位置よりも下流側（缶体２側）において缶体２に給水される水の給水流量を検出する缶体流量センサ３１と、その給水温度を検出する給水温度センサ３２とがそれぞれ介装されている。そして、缶体２で熱交換加熱されて昇温した高温湯の出湯温度を検出するための缶体温度センサ４１が出湯路４に介装されている。
【００２５】
前記一般給湯路５には、バイパス路８の合流位置の上流側位置に逆止弁５２が介装される一方、前記合流位置の下流側であって前記注湯路９の分岐位置に過流出防止弁とも呼ばれる給湯流量調整弁５３が介装され、その上流側位置に、給湯栓５１又は注湯路９に供給される給湯温度を検出する給湯温度センサ５４と、給湯流量を検出する給湯流量センサ５５とがそれぞれ介装されている。
【００２６】
前記高温差し湯路７には、非通電状態で閉状態を維持し通電すると開切換する電磁開閉弁により構成され浴槽６に対し高温差し湯をするか停止するかの開閉切換可能な差し湯電磁弁７１と、開度調整による差し湯流量を変更調整可能な差し湯流量調整弁７２とがそれぞれ介装されている。このような差し湯電磁弁７１と、差し湯流量調整弁７２とを互いに独立して設置していることにより、例えば停電が発生したとしても、高温差し湯路７を確実に遮断して浴槽６側に高温湯が流れてしまうことを阻止することができる。すなわち、例えば閉止機能付きの流量調整弁を用いて、高温差し湯路７の開閉機能と流量調整機能との双方を１つの機器で実現させた場合には、高温差し湯運転中に停電が万一発生すると、その開いた状態のままとなってしまうという不都合が考えられる。これに対し、前記の如く差し湯電磁弁７１と、差し湯流量調整弁７２とを互いに独立して設置することで、差し湯電磁弁７１がたとえ開状態に制御されて高温差し湯運転中であったとしても、停電が発生すれば、差し湯電磁弁７１を自動的に閉状態に戻すことができ、高温差し湯路７を確実に遮断状態に切換ることができるようになる。
【００２７】
バイパス流量調整弁８１は、その開度がステッピングモータの駆動制御によって変更調整される開閉弁であり、ステッピングモータを例えば正方向回転させるとバイパス流量調整弁８１の開度が大きくなって通過流量が増大し、逆方向回転させると開度が小さくなって通過流量が低減するように構成されている。バイパス流量調整弁８１の弁体の全開位置から全閉位置まで駆動するためのステッピングモータの回転角度を基本角度で除したものをステップ数といい、例えば全開位置にあるときのステップ数（例えば０ステップ）から全閉位置のステップ数（例えば３４００ステップ）までの所要のステップ数をコントローラ１０により制御することでステッピングモータの駆動量を制御し、これにより、バイパス流量調整弁８１の開度を所定開度に調整し得るようになっている。又、前記ステッピングモータは、バイパス流量調整弁８１の弁体の開閉範囲（全開位置〜全閉位置）の内の少なくとも一つの弁開度位置、例えば全開位置にリミッタ（全開リミッタ）を備え、バイパス流量調整弁８１の弁体が全開位置に制御されることで開リミッタ信号（位置信号）がコントローラ１０に出力されるようになっている。
【００２８】
さらに、前記注湯路９には、その開閉により注湯して湯張りを行うか否かに切換える電磁開閉弁により構成された注湯電磁弁９１と、注湯流量を検出するための注湯流量センサ９２とが介装されている。さらに、前記注湯路９には、前記高温差し湯路７の下流端の合流位置よりも下流側に、負圧を破壊して逆流防止するためのバキュームブレーカ９３と、浴槽６への経路に流れる湯の温度（ふろ経路温度）を検出するためのふろ経路温度センサ９４とが介装されている。このふろ経路温度センサ９４は、高温差し湯路７を通して浴槽６側に流れる湯の温度を検出するためのものであるため、注湯路９ではなくて高温差し湯路７の適所、例えば注湯路９との合流位置よりも上流側であって前記差し湯電磁弁７１よりも下流側の位置に介装させることもできる。
【００２９】
なお、浴槽６には撹拌アダプタ６１が設置されており、この撹拌アダプタ６１に対し前記注湯路９の下流端、つまり高温差し湯路７の下流端が接続されている。そして、撹拌アダプタ６１は、浴槽６内の湯水を取り込んで高温差し湯と混合・撹拌した後に浴槽６内に吐出させるようになっている。この際、取り込まれた浴槽６内の湯水の温度が浴槽温度センサ６２により検出されて、浴室リモコン１０２を介してコントローラ１０に出力されるようになっている。
【００３０】
以上の給湯器において、給湯栓５１へ所定の設定給湯温度で給湯を実行する給湯制御と、浴槽６に対する湯張り制御と、湯張り後の浴槽６内の湯水に対し高温湯を差し湯して追い焚きと同等機能を果たさせる差し湯制御とを含む種々の作動制御が、例えば台所リモコン１０１や浴室リモコン１０２等の各種リモコンからの入力設定信号や操作信号の出力や、種々の温度センサ等からの検出信号の出力を受けて、コントローラ（制御手段）１０により実行されるようになっている。このような作動制御のために、コントローラ１０は、給湯制御を行う給湯制御部１０３（図２参照）、湯張り制御を行う湯張り制御部１０４や、高温差し湯運転制御を行う差し湯制御部１０５等を備え、さらに、差し湯制御部１０５は、開始前処理部１０６や給湯経路温度監視処理部１０７等を備えている。コントローラ１０は、ＣＰＵ、書き換え可能メモリや入出力インタフェース等を備えるマイコンによって主構成されており、メモリに記憶されたプログラム及び各種データに基づいて前記の給湯制御や差し湯制御などを行うようになっている。
【００３１】
前記給湯制御部１０３は、例えば高温差し湯運転制御が行われていない状態で給湯栓５１がユーザーにより開かれて給湯流量センサ５５が所定の最低作動流量（ＭＯＱ）を検出すると、燃焼バーナ２３及び燃料供給系２２からなる燃焼系を燃焼作動させて給湯用の所定の高温（例えば６０〜７５℃）の湯を出湯路４及び一般給湯路５に出湯させる一方、給水温度センサ３２による検出給水温度、缶体温度センサ４１による検出出湯温度、給湯温度センサ５４による検出給湯温度やリモコン１０１，１０２に入力設定された設定給湯温度に基づいてバイパス流量調整弁８１による混合比制御や、給湯流量調整弁５３の開度制御が行われる。この結果、給湯栓５１に対し所定の設定給湯温度（例えば４０℃）に温調された湯が給湯されることになる。例えばバイパス流量調整弁８１の混合比制御により混水量が増加すると缶体２からの高温湯がより低温側に温調される。又、例えば給湯栓５１が最大側に開かれて大流量の給水状態に陥ることにより、燃焼系を最大能力で加熱制御したとしても熱交換器２４，２５において所定温度まで昇温させ得ない場合には、給湯流量調整弁５５の開度を所定量絞って所定温度までの昇温を確保するようになっている。
【００３２】
前記湯張り制御部１０４は、例えば浴室リモコン１０２の湯張りスイッチ又はふろ自動スイッチがユーザーによりＯＮ操作されると、注湯電磁弁９１を開き、前記給湯制御部１０３の給湯制御と同様に、燃焼系２２，２３の燃焼作動と、バイパス流量調整弁８１及び給湯流量調整弁５３の開度制御とを行い、前記浴室リモコン１０２に設定入力された設定注湯温度（設定湯張り温度）に温調された湯を浴槽６に対し注湯するようになっている。
【００３３】
以下、前記差し湯制御部１０５による高温差し湯運転制御について図３〜図７を参照しつつ詳細に説明する。図３に示すように、高温差し湯運転制御を開始するためのトリガーがＯＮされると（ステップＳ１でＹＥＳ）、まず、開始前処理（ステップＳ２）を実行し、この開始前処理を完了させた上で（ステップＳ３でＹＥＳ）、高温差し湯運転制御を実行する（ステップＳ４）。
【００３４】
高温差し湯運転制御が開始されるトリガーとして次のようなものがある。例えば、湯張り制御が実行されて浴槽６内に湯張りが完了した後に、例えば浴室リモコン１０２の追い焚きスイッチ（高温差し湯により熱くするためのスイッチ）がユーザーによりＯＮ操作されて、そのＯＮ操作信号がコントローラ１０に出力されること、湯張りが完了した後に、前記浴室リモコン１０２の保温スイッチがユーザーによりＯＮ操作された場合に、保温動作をするための所定時間（例えば２０分間）が経過したこと、あるいは、リモコン１０１，１０２のふろ自動スイッチがユーザーによりＯＮ操作されたときに浴槽６内に前回までの残湯があり、それが所定温度よりも温度低下していることを検知したこと、等の高温差し湯運転の要求をトリガーとして高温差し湯運転制御が実行されることになる。
【００３５】
開始前処理としては、開始前処理１〜３の３種類を備えており、これらを並行処理することができるし、あるいは、所定の順に従って処理することもできる。開始前処理１は、高温差し湯を行うときにはバイパス流量調整弁８１を必ず全開位置に事前に設定し、それを確実に担保しておくための処理である。具体的には、図４に示すように、まず、バイパス流量調整弁８１を全開位置まで駆動させる（ステップＳ１１）。この際、現在位置が不明又は既に故障が発生している場合のあることを考慮して、まず所定量だけ閉側に駆動した後に全開位置まで駆動させる。そして、開リミッタ信号の出力がそれまで非出力状態から出力状態に変化したか否かを判定し（ステップＳ１２）、非出力状態から出力状態への変化を検知すれば、バイパス流量調整弁８１は確実に全開位置に設定されたものとして、開始前処理１を完了させて次に進み、そのような変化が万一無ければ、エラー処理を行う（ステップＳ１３）。
【００３６】
ここで、開リミッタ信号の出力があることのみを判定・検知するのではなくて、開リミッタ信号が無い状態（非出力状態）と、有る状態（出力状態）との間で変化することを判定・検知するようにしているのは、断線等の故障発生に起因する誤判定を防止するためである。すなわち、全開位置へ到達すると例えばグラウンドに接続されてこれに対応する開リミッタ信号が出力されるという構成の場合に、開リミッタ信号出力があることのみを判定条件にして全開位置に到達したと判定すると、断線等の故障発生により誤判定が生じるおそれがあるためである。従って、前記の如く非出力状態と出力状態との間での変化が生じたことをもって、全開位置に到達したと判定することで、断線等の故障に起因する誤判定発生を排除して、バイパス流量調整弁８１が確実に全開位置に設定されたことを確認することができる。そして、バイパス流量調整弁８１が確実に全開位置に設定されることにより、もしも、割り込み給湯使用や給湯栓５１の緩み発生等により出湯路４から高温湯が一般給湯路５に流れたとしても、バイパス路８からの十分な量の混水により温度低下させることができ、割り込み給湯使用が生じた際に高温湯がそのまま、あるいは、かなり高温状態を維持したまま、一般給湯路５から給湯栓５１の側に流れることを確実に阻止することができる。なお、前記のエラー処理としては、バイパス流量調整弁８１に異常が生じている旨の警告表示をリモコン１０１，１０２に行うと共に、高温差し湯運転制御を開始するためのトリガーが成立したとしても、高温差し湯運転制御の実行を強制的に禁止してその旨を同様に警告表示する。
【００３７】
開始前処理２は、後述の給湯経路温度監視処理部１０７による処理における誤判定発生を確実に回避するための事前処理である。給湯経路温度監視処理部１０７についての後述の説明にもあるように、給湯温度センサ５４が所定の判定温度（給湯温度としては高すぎることになる温度；例えば４５℃）以上の温度を検出したことを条件に、高温差し湯運転制御の実行を強制的に停止又は禁止するという安全処理を実行する上で、給湯温度センサ５４位置にたまたま高温の湯が残っている場合に生じるおそれのある誤判定発生を回避するための事前処理である。具体的には、図５に示すように、まず、給湯制御部１０３に対し燃焼禁止指令又は燃焼量をかなり低めに抑制するための燃焼低減指令を出力した上で（ステップＳ２１）、注湯電磁弁９１を開変換させる（ステップＳ２２）。これにより、一般給湯路５及び注湯路９に対し水又は低温水が流れ、これが所定量通過すれば（ステップＳ２３でＹＥＳ）、注湯電磁弁９１を閉変換して（ステップＳ２４）、開始前処理２は完了したとして次に進む。前記の所定量とは、缶体２内の熱交換器２４から給湯温度センサ５４までの出湯路４及び一般給湯路５の配管容量に対応する量に基づいて設定することができる。これにより、給湯温度センサ５４位置における湯水の温度を前記の判定値よりも確実に低く維持することができ、前記の誤判定発生のおそれを確実に回避することができる。
【００３８】
なお、以上の開始前処理２の場合、少なくとも給湯温度センサ５４位置までの一般給湯路５を水又は低温水で満たすための制御を高温差し湯運転制御の開始前処理として一律に実行するようにしているが、これに限らず、この開始前処理２を、給湯温度センサ５４が所定の判定値以上の検出温度を検出したときに限り実行するようにすることができる。判定値としては、前記と同様に、給湯温度としては高すぎることになる温度（例えば４５℃以上）を設定することができる。このように給湯温度センサ５４が所定の判定値以上の検出温度を検出したときに限り開始前処理２を実行するようにすることにより、誤判定発生のおそれを回避するための事前の前処理を必要な場合だけに行うことができる。
【００３９】
開始前処理３は、高温差し湯運転を開始する前に、現在、給湯使用が行われてはいないことを確認するための処理である。このために、図６に示すように、缶体流量センサ３１がＭＯＱ（最低作動流量；例えば２Ｌ／ｍｉｎ）以上の流量を検出していないことを確認した上で（ステップＳ３１でＮＯ）、次の処理に進むのである。もしも、ステップＳ３１で、缶体流量センサ３１がＭＯＱ以上の流量を検出していれば（ステップＳ３１でＹＥＳ）、以後の高温差し湯運転制御の開始を停止して給湯制御部１０３による給湯制御を優先させ、給湯使用が終了するまで高温差し湯運転制御の実行を待機する（ステップＳ３２，ステップＳ３３でＹＥＳ）。そして、ステップＳ３３での缶体流量センサ３１による監視を続け、その検出値がＭＯＱ未満になったことを確認した上で（ステップＳ３３でＮＯ）、次の処理に進む。
【００４０】
なお、以上の開始前処理に加えて、給湯流量調整弁５３について次の処理を開始前処理として加えるようにすることができる。すなわち、給湯流量調整弁５３を所定の設定開度まで絞った状態に変更して待機させておくのである。この待機位置（給湯流量調整弁５３の所定の設定開度）としては、全開と全閉との間の中央位置に相当する開度を設定することができる。つまり、給湯流量調整弁５３を絞る一方、前記の開始前処理１によりバイパス流量調整弁８１を全開位置に設定しておくことにより、高温湯の給湯栓５１側へ流下する事態も発生をより確実に回避するのである。
【００４１】
以上の開始前処理１〜３が完了した上で実行される高温差し湯運転制御（ステップＳ３でＹＥＳ，Ｓ４）における基本差し湯制御（ステップＳ４−１）及び給湯割り込み時処理（ステップＳ４−３）について、その一例を以下簡単に説明する。
【００４２】
基本差し湯制御（ステップＳ４−１）としては、差し湯電磁弁７１を開切換して燃焼系２２，２３の燃焼作動を開始し、差し湯流量調整弁７２の開度を変更調整して所定の差し湯流量（例えば４Ｌ／ｍｉｎ）で一定になるように差し湯流量制御を実行する。差し湯流量制御としては、缶体流量センサ３１から出力される検出流量に基づいて差し湯流量が前記の所定値になるように差し湯流量調整弁７２の開度をフィードバック制御することができる。この高温差し湯を、高温差し湯運転の終了条件が成立するまで、給湯使用がないことを例えば給湯流量センサ５５の検出流量がゼロであることにより確認しつつ、続ける。そして、浴室リモコン１０２の差し湯スイッチがＯＦＦに切換操作されたこと、高温差し湯の検出流量値の積算に基づく高温差し湯量が設定湯量に達したこと、又は、浴槽温度センサ６２による浴槽内の湯水温度が所定の温度まで昇温したことのいずれかの高温差し湯運転の終了条件が成立すれば、燃焼系２２，２３の燃焼作動を停止させた後、差し湯電磁弁７１を閉切換制御して高温差し湯運転を終了させる。この際、燃焼作動の停止後、所定の僅かな時間（例えば１０〜２０ｓｅｃ）が経過するまで、差し湯電磁弁７１を開状態に維持して浴槽６側への湯水供給を継続させて、ふろ経路温度センサ９４の設置位置での検出温度が所定の設定温度（例えば４０〜４５℃）まで温度低下したことを確認した上で、差し湯電磁弁７１を閉切換制御して高温差し湯運転を終了させるようにすることができる。
【００４３】
一方、基本差し湯制御（ステップＳ４−１）と並行処理される給湯割り込み時処理（ステップＳ４−３）は、給湯流量センサ５５の検出値の監視を続け、この給湯流量センサ５５がＭＯＱ以上の流量を検出して給湯使用の開始が検出された場合には高温差し湯運転を中断し、これにより、給湯制御部１０３による給湯制御を優先させる。この高温差し湯運転の中断から給湯制御の開始までの過渡期において、次の過渡期のための制御を介在させることができる。例えば、差し湯電磁弁７１を開状態に維持して差し湯流量調整弁７２の開度を給湯使用が開始される直前の制御開度（直前開度）に維持しつつ、缶体出湯温度の低下処理を実行して浴槽６側への湯水供給を継続させる。すなわち、燃焼系２２，２３の燃焼量を低減させる、又は、燃焼停止にし、高温差し湯よりも低温で設定給湯温度と同等か給水そのものかの湯水を出湯路４に出湯させる。これを、ふろ経路温度センサ９４の検出温度が前述の如き低下した温度として設定された設定温度まで低下するまでの僅かな間（例えば１０〜２０ｓｅｃ）、継続させた後に、差し湯電磁弁７１を閉切換制御して高温差し湯運転を中断させ、給湯制御部１０３に対し通常の給湯制御に移行させる。そして、給湯流量センサ５５の検出流量に基づき給湯使用が停止されたと判定されると、再度、高温差し湯運転を再開する。
【００４４】
以上の基本差し湯制御（ステップＳ４−１）及び給湯割り込み時処理（ステップＳ４−３）と共に並行処理される給湯経路温度監視処理（ステップＳ４−２）は、次のような点に着目して行うものである。すなわち、前記の開始前処理１により、バイパス流量調整弁８１を全開位置に設定し、かつ、全開位置に設定されたことを確認するための処理を完了させたものの、バイパス流量調整弁８１の駆動系や制御系の不調以外の原因で十分な混水量が確保できない場合の対処を考慮したものである。詳しくは、開始前処理１でバイパス流量調整弁８１が全開位置に正しく制御されたとしても、バイパス流量調整弁８１内の通路等にゴミ詰まり等が生じ、このため、弁体は正しく全開位置にあるものの、バイパス水の通過が阻害されて十分な混水量の確保が阻害されるような事態の発生を想定し、このような事態発生に起因する給湯栓５１側への高温湯の流下を回避するためのものである。このため、給湯経路温度監視処理（ステップＳ４−２）は、高温差し湯運転中において給湯温度センサ５４の検出温度を監視し、所定の判定温度（給湯温度としては高すぎることになる温度；例えば４５℃）以上の温度を検出したことを条件に、高温差し湯運転制御の実行を強制的に停止又は禁止するというエラー処理を実行することを基本とするものである。なお、前記の判定温度以上の温度検出という条件は、瞬間的な成立ではなくて、所定時間継続することで条件成立と判定して高温差し湯運転制御を強制的に停止又は禁止するようにする。所定時間としては、３〜２５秒間とすることができる。
【００４５】
一方、前記のゴミ詰まり等による不調は回復不能なものではないとの観点から、即座に前記のエラー処理を実行するのではなくて、給湯温度センサ５４付近の比較的高温の湯をとりあえず浴槽６側に排出させることで回復する可能性もあることから、前記の判定温度以上の温度検出が複数回（例えば２回）繰り返されることを条件にエラー処理を実行するようにすることができる。この例として、図７に示すように、まず、現在高温差し湯運転中であることを確認した上で（ステップＳ４１でＹＥＳ）、給湯温度センサ５４の検出温度が判定温度以上であるか否かの判定を行う（ステップＳ４２）。もしも、判定温度以上の検出温度が前記の所定時間継続すれば（ステップＳ４２でＹＥＳ）、それが１回目であれば（ステップＳ４３でＮＯ）、注湯電磁弁９１を開変換して所定量が流れるまで、浴槽６に注湯する（ステップＳ４４，ステップＳ４５でＮＯ）。ここで、所定量とは、開始前処理２の場合と同様に、缶体２内の熱交換器２４から給湯温度センサ５４までの出湯路４及び一般給湯路５の配管容量に対応する量に基づいて設定することができ、又、所定量通過の検出は注湯流量センサ９２の検出値を積算することで得ることができる。そして、所定量の注湯が終われば（ステップＳ４５でＹＥＳ）、注湯電磁弁９１を閉変換して次に進む。この注湯により、バイパス流量調整弁８１及びバイパス路８にゴミ詰まり等がなくてバイパス水が正常に流れるのであれば、十分に混水されて低温になった湯水が給湯温度センサ５４位置を通過して注湯されることになり、注湯電磁弁９１が閉変換されれば給湯温度センサ５４位置にはその低温の湯水が滞留することになる筈である。その一方、高温差し湯運転の継続中に（ステップＳ４１でＹＥＳ）、再度、給湯温度センサ５４により判定温度以上の検出が所定時間継続すると（ステップＳ４２でＹＥＳ）、２回目の検出であるため（ステップＳ４３でＹＥＳ）、ゴミ詰まり等の発生によりバイパス路８からの混水が不十分である事態に陥っていると判断し、前記のエラー処理を実行する（ステップＳ４７）。もちろん、このエラー処理には、高温差し湯運転制御の強制的停止等に加え、リモコン１０１，１０２への警告表示等を加えることができる。なお、ステップＳ４５の所定量の通過の代わりに、給湯温度センサ５４が前記判定温度未満の検出を判定条件とすることができる。給湯温度センサ５４が前記判定温度未満の温度を検出すればステップＳ４６の注湯電磁弁９１を閉変換させるのである。あるいは、前記の所定量の通過又は判定温度未満の検出に代えて、これらいずれかに対応する経過時間を設定し、タイマによりこの経過時間を計時することで、注湯電磁弁９１を閉変換するようにすることもできる。
【００４６】
以上の給湯経路温度監視処理（ステップＳ４−２）により、次の作用効果を得ることができる。すなわち、高温差し湯運転中であれば、本来であれば、高温差し湯運転制御により高温差し湯が高温差し湯路９に流されて給湯使用は停止されているため、缶体２からの高温湯は一般給湯路５には流れず一般給湯路５内は静止したままであるのが原則であるが、例えばＭＯＱ未満の流量が給湯栓５１側にチョロチョロと流れ、これに伴い、高温差し湯の高温湯が一般給湯路５にも流れ込む事態の発生が考えられる。この場合でも、バイパス流量調整弁８１が全開位置でありバイパス路８が正常に通水可能であれば、十分な混水により給湯温度センサ５４位置を通過する湯は低温水になっている筈である。しかしながら、給湯温度センサ５４が前記の如き判定値以上の温度を万一検出したのであれば、バイパス流量調整弁８１は全開位置であるがゴミ詰まり等の原因で十分な混水量が確保することができない状態に陥っている可能性があると判定して、対策のための処理を実行するようにしている。前記の如く、まずは試しに注湯電磁弁９１を開変換して浴槽６側に流し、これで前記の判定温度以上の検出が解消すれば、一時的な不調が解消したものと判定する一方、再度、判定温度以上の検出が発生すればエラー処理を実行することにより、給湯栓５１側へ高温の湯水が流れるおそれを回避することができる。
【００４７】
なお、開始前処理２を実行する場合には、給湯経路温度監視処理としては、前記の基本処理、つまり、判定温度以上の温度を一定時間継続して検出すれば、即座に高温差し湯運転制御を強制的に停止等するエラー処理を実行することができる。開始前処理２の実行により、給湯温度センサ５４位置の配管内の湯水温度は事前にかつ確実に所定の低温状態に維持されているため、差し湯実行中に給湯温度センサ５４が前記の如く判定温度以上の温度を検出した場合には、即座にエラー処理を実行したとしても、誤判定に起因する強制停止を回避することができる。一方、図７の如き給湯経路温度監視処理を実行する場合には、開始前処理２を省略することができる。すなわち、図７の如き給湯経路温度監視処理を実行する場合には、念のために注湯路９を通して浴槽６に排出した上で、さらに給湯温度センサ５４の検出温度の監視を行うようにしているため、誤判定に起因する強制停止を回避しつつも、ゴミ詰まり等に起因する不都合発生をも確実に回避することができるからである。
【００４８】
又、バイパス流量調整弁８１の弁体を開閉駆動するステッピングモータに、弁体の開閉範囲の内の所定の開側位置にリミッタを設け、その開側位置に弁体が制御されることでリミッタ信号（位置信号）がコントローラ１０に出力される構成とすることができる。そして、この場合には、開始前処理１として、バイパス流量調整弁８１を全開位置ではなくて前記開側位置に設定するようにすることができる。その際、現在位置が不明なときには、例えば閉側に若干量駆動する、又は、全閉位置まで駆動した後に前記開側位置に駆動するようにし、この駆動の際に、前記リミッタ信号が無い状態（非出力状態）から有る状態（出力状態）に変化することを判定・確認するようにすることができる。この場合、混水量としては全開位置よりも僅かに少なくなるものの、それでもかなり多量な混水量が確保されるため、バイパス流量調整弁８１を全開位置に設定する場合と同様の作用効果を得ることができる。なお、この場合の所定の開側位置としては、全閉位置と全開位置との中間位置（例えば中央位置）から全開位置までの範囲の内から選択された所定開度位置を設定することができる。
【符号の説明】
【００４９】
１        給湯器
２        缶体
３        給水路
５        一般給湯路
６        浴槽
７        高温差し湯路
８        バイパス路
５１      給湯栓
５４      給湯温度センサ
８１      バイパス流量調整弁
９１      注湯電磁弁
１０      コントローラ（制御手段）
１０５    差し湯制御部（制御手段）
１０６    開始前処理部
【図１】
0006394147.tif 000002
【図２】
0006394147.tif 000003
【図３】
0006394147.tif 000004
【図４】
0006394147.tif 000005
【図５】
0006394147.tif 000006
【図６】
0006394147.tif 000007
【図７】
0006394147.tif 000008